(57)【要約】【課題】供給する砂を容易に計量することができ、ミキサー車側のホッパーに砂を容易に供給することができる装置を提供する。【解決手段】ミキサー車用骨材投入ホッパー１１は、上部に開口部１４を備える円筒状の本体１２と、本体１２の下部に連接する円錐状体１３と、円錐状体１３の先端部に開口する投入口１６と、投入口１６に開閉自在に設けられたダンパ部材１７と、本体１２の開口縁に設けられた複数の吊り手部材１５とを備える。【選択図】  図３
0003184971.tif 000002
【実用新案登録請求の範囲】
【請求項１】
地盤を取り除いて設定された多数の区画について、区画毎に無機廃棄物とセメントと水又は重金属固定剤とを混練した盛土材を充填し締め固めて圧密成形体を形成し、該圧密成形体上に、モルタルと砕石とを積層して該無機廃棄物の雨水への接触を阻止する防水被覆層を形成する廃棄物の最終処分場で、セメントと砂と水とをミキサー車で混練して該モルタルを調製するために、ミキサー車側のホッパーに砂を供給するミキサー車用骨材投入ホッパーであって、
上部に開口部を備える円筒状の本体と、該本体の下部に連接し該本体から下方に向かって次第に縮径する円錐状体と、該円錐状体の先端部に開口する投入口と、該投入口に開閉自在に設けられたダンパ部材と、該本体の開口縁に設けられた複数の吊り手部材とを備えることを特徴とするミキサー車用骨材投入ホッパー。
【請求項２】
請求項１に記載のミキサー車用骨材投入ホッパーであって、前記ミキサー車側のホッパー上に載置されて接続する接続部材を備えることを特徴とするミキサー車用骨材投入ホッパー。
【考案の詳細な説明】
【技術分野】
【０００１】
本発明は、ミキサー車用骨材投入ホッパーに関する。
【背景技術】
【０００２】
地盤を取り除いて設定された多数の区画について区画毎に、無機廃棄物とセメントと水又は重金属固定剤とを混練した盛土材を充填し、締め固めて圧密成形体を形成する廃棄物の最終処分場が知られている。前記圧密成形体は、その上にモルタルと砕石とを積層して防水被覆層を形成することにより、前記無機廃棄物と雨水との接触を阻止し、該無機廃棄物に含まれる有害物質の雨水への溶出を防止することができる。
【０００３】
前記モルタルは、セメントと骨材としての砂と水とを混練して調製される。前記モルタルは、前記最終処分場外のモルタル混練装置で調製されたものをミキサー車で運搬してもよい（例えば特許文献１参照）が、道路事情等によっては該ミキサー車が遅延して、所望時期に所望量のモルタルを得ることが困難になることがある。
【先行技術文献】
【特許文献】
【０００４】
【特許文献１】特開平５−２４０３３号公報
【考案の概要】
【考案が解決しようとする課題】
【０００５】
そこで、前記最終処分場では、該最終処分場内に設置されたセメントサイロからセメントをミキサー車のドラムへ供給するとともに、骨材置場から骨材としての砂を供給し、さらに水を加えて混練してモルタルを調製することが考えられる。
【０００６】
しかしながら、ミキサー車に対する砂の供給は、所要量を計量することが難しい上、ミキサー車側のホッパーは車両の後部上方の高い位置に配設されているので、砂の供給自体が難しいという不都合がある。
【０００７】
そこで、本考案は、供給する砂を容易に計量することができると共に、ミキサー車側のホッパーに砂を容易に供給することができる装置を提供することを目的とする。
【課題を解決するための手段】
【０００８】
かかる目的を達成するために、本考案は、地盤を取り除いて設定された多数の区画について、区画毎に無機廃棄物とセメントと水又は重金属固定剤とを混練した盛土材を充填し締め固めて圧密成形体を形成し、該圧密成形体上に、モルタルと砕石とを積層して該無機廃棄物の雨水への接触を阻止する防水被覆層を形成する廃棄物の最終処分場で、セメントと砂と水とをミキサー車で混練して該モルタルを調製するために、ミキサー車側のホッパーに砂を供給するミキサー車用骨材投入ホッパーであって、上部に開口部を備える円筒状の本体と、該本体の下部に連接し該本体から下方に向かって次第に縮径する円錐状体と、該円錐状体の先端部に開口する投入口と、該投入口に開閉自在に設けられたダンパ部材と、該本体の開口縁に設けられた複数の吊り手部材とを備えることを特徴とする。
【０００９】
本考案のミキサー車用骨材投入ホッパーは、円筒状の本体と、該本体の下部に連接する円錐状体とからなりその容積は既知であるので、該ホッパー自体を計量容器として用いることができ、供給する砂の計量を行うことができる。また、本考案のミキサー車用骨材投入ホッパーは、前記本体の開口縁に複数の吊り手部材が設けられているので、該吊り手部材にワイヤー等の吊り部材を係合させてクレーン等により吊り上げることができる。したがって、車両の後部上方の高い位置に配設されているミキサー車側のホッパーに対しても、前記投入口をその上方に容易に位置させることができ、前記ダンパ部材を開くことにより、前記砂を容易に供給することができる。
【００１０】
また、本考案のミキサー車用骨材投入ホッパーは、前記ミキサー車側のホッパー上に載置されて接続する接続部材を備えることが好ましい。
【００１１】
本考案のミキサー車用骨材投入ホッパーは、前記接続部材を備えることにより、前記のようにクレーン等により吊り上げて前記投入口をミキサー車側のホッパーの上方に位置させたときに、該接続部材を介して該ホッパー上に載置することができる。したがって、前記砂の供給を安定に行うことができる。
【図面の簡単な説明】
【００１２】
【図１】廃棄物の最終処分場に設定された多数の区画を示す平面図。
【図２】廃棄物の最終処分場で圧密成形体上にモルタルを散布する様子を示す説明図。
【図３】本考案のミキサー車用骨材投入ホッパーの構成を示す斜視図。
【考案を実施するための形態】
【００１３】
次に、添付の図面を参照しながら本考案の実施の形態についてさらに詳しく説明する。
【００１４】
図１に示す廃棄物の最終処分場１は、地盤を取り除いて設定された多数の区画２を備えている。各区画２は、例えば長さが８ｍ、幅が６．８ｍ、高さが１．３ｍの直方体の形状を有し、高さが鉛直方向に沿うように配置される。鉛直方向の区画２の区分数は、例えば１５である。したがって、廃棄物の最終処分場１には、水平方向に碁盤の目状に区分されるとともに、例えば１５層に積み重ねられた多数の区画２が設定される。
【００１５】
最終処分場１では、図２に示すように、区画２毎に無機廃棄物とセメントと水又は重金属固定剤含有水溶液とを混練した盛土材を充填し、締め固めることにより圧密成形体３を形成する。その後、圧密成形体３の上に、モルタルＭと砕石とを積層して防水被覆層（図示せず）を形成することにより、前記無機廃棄物と雨水との接触を阻止し、該無機廃棄物に含まれる有害物質の雨水への溶出を防止する。
【００１６】
最終処分場１では、前記モルタルＭをミキサー車５を用いて調製し、パワーショベル１０等により圧密成形体３の上に供給する。ミキサー車５は、セメントと砂と水とを混練するドラム６と、車両後部上方に設けられたホッパー７と、ホッパー７の周囲に設けられた作業台８とを備えており、ホッパー７からセメントと砂と水とが投入される。
【００１７】
図３に示すように、本実施形態のミキサー車用骨材投入ホッパー１１は、ミキサー車５のホッパー７からドラム６に骨材としての砂を投入するために用いられるものであって、円筒状の本体１２と、本体１２の下部に連接する円錐状体１３とを備えている。本体１２は上部に開口部１４を備えると共に、開口部１４の縁部に等間隔で４つの逆Ｕ字状の吊り手部材１５が設けられている。
【００１８】
また、円錐状体１３は本体１２から下方に向かって次第に縮径し、その先端部に開口する投入口１６を備えている。投入口１６にはダンパ部材１７が設けられており、ダンパ部材１７は外部に設けられたレバー１８により回動されることにより、投入口１６を開閉自在としている。
【００１９】
また、ミキサー車用骨材投入ホッパー１１は、投入口１６の外周側に、ミキサー車５のホッパー７に外嵌される接続部材１９を備えている。接続部材１９は、複数の支持部材２０により、本体１２に支持されている。
【００２０】
ミキサー車用骨材投入ホッパー１１を用いてミキサー車５に砂を供給するときには、まず、最終処分場１に設けられた骨材置場（図示せず）において、パワーショベル１０等により開口部１４から所定量の砂を投入する。このとき、前記砂は予め所要量が計量されていてもよいが、ミキサー車用骨材投入ホッパー１１の容積は既知であるので、ミキサー車用骨材投入ホッパー１１自体を計量容器として供給する砂の計量を行うようにしてもよい。
【００２１】
ミキサー車用骨材投入ホッパー１１に前記砂を投入したならば、次に、吊り手部材１５に吊り部材としてのワイヤ２１を挿通し、パワーショベル１０、クレーン等により吊り上げ、投入口１６をミキサー車５のホッパー７の上方に位置させる。そして、接続部材１９をホッパー７に外嵌することにより、ミキサー車用骨材投入ホッパー１１をホッパー７上に載置する。
【００２２】
次に、ミキサー車５の作業台８上から作業者がレバー１８を操作することにより、ダンパ部材１７を作動させて投入口１６を開くことにより、ミキサー車用骨材投入ホッパー１１に収容されている前記砂がミキサー車５のホッパー７を介してドラム６に投入される。
【００２３】
本実施形態のミキサー車用骨材投入ホッパー１１は、ミキサー車５に骨材として砂を供給するために用いられているが、砂利を供給するために用いることもできる。また、ミキサー車用骨材投入ホッパー１１は、開口部１４をホースジョイントを備える蓋部材（図示せず）により閉蓋することにより、セメントの供給に用いることもできる。
【符号の説明】
【００２４】
１…最終処分場、  ２…区画、  ３…圧密成形体、  ５…ミキサー車、  ６…ドラム、７…ホッパー、  １１…ミキサー車用骨材投入ホッパー、  １２…本体、  １３…円錐状体、  １４…開口部、  １５…吊り手部材、  １６…投入口、  １７…ダンパ部材、  １９…接続部材。
【図１】
0003184971.tif 000003
【図２】
0003184971.tif 000004
【図３】
0003184971.tif 000005